(57)【要約】【課題】複数の撮影部位について撮影を行う際に、撮影漏れを防止するとともに、任意の順序での撮影を容易にする。【解決手段】画像表示画面４３２のリスト表示領域Ａ４には、撮影対象情報のリストとして、実施される検査において撮影すべき撮影部位及び撮影方向の組み合わせのリストが表示される。画像表示領域Ａ３に表示されている医用画像に対して、リストの中からいずれか一の撮影対象情報が選択されると、医用画像に対して、選択された撮影対象情報が対応付けられて記憶される。リスト上で、選択された撮影対象情報（「右前足足関節−側面」Ｃ２）については、チェックマークＭ１が付加されることにより、他の撮影対象情報と区別可能に表示される。【選択図】図１１
2014147621.tif 000002
【特許請求の範囲】
【請求項１】
撮影対象物の医用画像を生成する撮影装置と当該撮影装置により生成された医用画像を管理する医用画像管理装置とがデータ通信可能に接続され、前記医用画像管理装置とクライアント端末とがデータ通信可能に接続された医用画像撮影システムであって、
前記クライアント端末は、
少なくとも撮影部位を含む複数の撮影対象情報に基づいて、当該撮影対象情報のリストを表示手段に表示させる表示制御手段と、
前記撮影装置により生成された医用画像に対して、前記表示手段に表示されるリストの中からいずれか一の撮影対象情報を選択するための選択手段と、
前記選択された撮影対象情報を示す選択情報を前記医用画像管理装置に送信する送信手段と、
を備え、
前記医用画像管理装置は、
前記クライアント端末から送信された選択情報に基づいて、前記撮影装置により生成された医用画像に対して、前記選択された撮影対象情報を対応付けて記憶手段に記憶させる対応付け手段を備え、
前記表示制御手段は、前記表示手段に表示されるリスト上で、前記選択された撮影対象情報については、他の撮影対象情報と区別可能に表示させる医用画像撮影システム。
【請求項２】
前記対応付け手段は、前記撮影装置により生成された複数の医用画像に対して、同一の撮影対象情報を対応付け可能である請求項１に記載の医用画像撮影システム。
【請求項３】
前記表示制御手段は、前記表示手段に表示されるリスト上で、前記選択された撮影対象情報については、マーク、文字、背景色、又は、当該選択された撮影対象情報に対応する医用画像を付加することにより、他の撮影対象情報と区別可能に表示させる請求項１又は２に記載の医用画像撮影システム。
【請求項４】
前記表示制御手段は、前記表示手段に表示されるリスト上で、前記選択された撮影対象情報については、他の撮影対象情報と表示位置を変えることにより、他の撮影対象情報と区別可能に表示させる請求項１又は２に記載の医用画像撮影システム。
【請求項５】
前記撮影対象情報は、さらに、撮影方向又は体位を含む請求項１から４のいずれか一項に記載の医用画像撮影システム。
【請求項６】
前記表示制御手段は、前記表示手段に表示されるリスト上に、各撮影対象情報に加えて、当該各撮影対象情報に対応する撮影条件を表示させる請求項１から５のいずれか一項に記載の医用画像撮影システム。
【請求項７】
撮影対象物の医用画像を生成する撮影装置とデータ通信可能に接続され、前記撮影装置により生成された医用画像を管理する医用画像管理装置であって、
少なくとも撮影部位を含む複数の撮影対象情報に基づいて、当該撮影対象情報のリストを表示手段に表示させる表示制御手段と、
前記撮影装置により生成された医用画像に対して、前記表示手段に表示されるリストの中からいずれか一の撮影対象情報を選択するための選択手段と、
前記撮影装置により生成された医用画像に対して、前記選択された撮影対象情報を対応付けて記憶手段に記憶させる対応付け手段と、
を備え、
前記表示制御手段は、前記表示手段に表示されるリスト上で、前記選択された撮影対象情報については、他の撮影対象情報と区別可能に表示させる医用画像管理装置。
【請求項８】
前記対応付け手段は、前記撮影装置により生成された複数の医用画像に対して、同一の撮影対象情報を対応付け可能である請求項７に記載の医用画像管理装置。
【請求項９】
前記表示制御手段は、前記表示手段に表示されるリスト上で、前記選択された撮影対象情報については、マーク、文字、背景色、又は、当該選択された撮影対象情報に対応する医用画像を付加することにより、他の撮影対象情報と区別可能に表示させる請求項７又は８に記載の医用画像管理装置。
【請求項１０】
前記表示制御手段は、前記表示手段に表示されるリスト上で、前記選択された撮影対象情報については、他の撮影対象情報と表示位置を変えることにより、他の撮影対象情報と区別可能に表示させる請求項７又は８に記載の医用画像管理装置。
【請求項１１】
前記撮影対象情報は、さらに、撮影方向又は体位を含む請求項７から１０のいずれか一項に記載の医用画像管理装置。
【請求項１２】
前記表示制御手段は、前記表示手段に表示されるリスト上に、各撮影対象情報に加えて、当該各撮影対象情報に対応する撮影条件を表示させる請求項７から１１のいずれか一項に記載の医用画像管理装置。
【発明の詳細な説明】
【技術分野】
【０００１】
本発明は、医用画像撮影システム及び医用画像管理装置に関する。
【背景技術】
【０００２】
従来、医療の分野では、様々な撮影装置により生成された医用画像を取り込み、取り込んだ医用画像をデータベースに保存して管理する医用画像管理装置が用いられている。例えば、診断対象患者のビューアー画面に設けられた画像取り込みボタンを押下すると、撮影装置から送信された医用画像をその患者の患者情報と対応付けて記憶するとともに、ビューアー画面に医用画像を表示する医用画像管理装置が提案されている（特許文献１参照）。
【０００３】
通常は、撮影者が撮影オーダーに基づいて撮影部位のリストを作成する。撮影オーダーは、医師が行う撮影依頼のことであり、「胸部Ｘ線単純撮影」、「腰椎４方向撮影」等、複数の撮影を含む一連の撮影の依頼内容である。例えば、「胸部Ｘ線単純撮影」では「胸部正面撮影」「胸部側面撮影」のように２撮影、「腰椎４方向撮影」では「腰椎正面撮影」「腰椎側面撮影」「腰椎前屈撮影」「腰椎後屈撮影」のように４撮影の撮影を実施する。撮影者がリストの中から撮影部位を選択し、撮影を行うと、選択された撮影部位に対して、撮影により得られた医用画像が１対１で対応付けられる。ここで、リスト上に未撮影の撮影部位が残っている場合には、撮影者は、別の撮影部位を選択し、同様の処理を繰り返す。全ての撮影部位について撮影済みとなった場合には、検査が終了する。
【先行技術文献】
【特許文献】
【０００４】
【特許文献１】特開２０１０−１２４９４３号公報
【発明の概要】
【発明が解決しようとする課題】
【０００５】
しかしながら、一つの検査で撮影される医用画像の枚数が多い場合には、撮影者が全ての撮影部位について撮影が終了したか否かを覚えておくことは困難であり、撮影漏れが発生するおそれがあった。特に、競走馬の検診では、骨折等の異常の有無を診断するため、撮影枚数が３０枚以上に及ぶ。
【０００６】
また、撮影対象物が動物の場合、人間の場合と異なり、撮影者の指示で撮影対象物の動きを停止させることが難しい。そのため、複数の撮影部位について撮影を行う場合に、所定の順序通りに撮影することができず、臨機応変に順序を入れ替えて撮影する必要がある。この場合に、従来技術においては、撮影部位を選択し直した後、撮影を行う必要があった。
【０００７】
例えば、競走馬を対象として、以下の（１）〜（８）の撮影部位・撮影方向について撮影を行うものとする。
（１）右前足足関節−正面
（２）右前足足関節−側面
（３）左前足足関節−正面
（４）左前足足関節−側面
（５）右後足足関節−正面
（６）右後足足関節−側面
（７）左後足足関節−正面
（８）左後足足関節−側面
【０００８】
まず、（１）右前足足関節−正面の撮影を行った後は、続けて同じ右前足について、（２）右前足足関節−側面の撮影をした方が効率が良い。ところが、突然馬が前足を動かし始めた場合、（５）以降の後足から撮影を継続することがある。このような場合、撮影前に撮影部位・撮影方向を選択する必要があるため、選択を変更するための操作が必要となる。操作を行っている間に今度は馬が後足を動かし始めると、後足の撮影ができなくなってしまう。このように、従来は、撮影順序の変更を行う際の操作が煩雑であった。
【０００９】
本発明は、上記の従来技術における問題に鑑みてなされたものであって、複数の撮影部位について撮影を行う際に、撮影漏れを防止するとともに、任意の順序での撮影を容易にすることを課題とする。
【課題を解決するための手段】
【００１０】
上記課題を解決するために、請求項１に記載の発明は、撮影対象物の医用画像を生成する撮影装置と当該撮影装置により生成された医用画像を管理する医用画像管理装置とがデータ通信可能に接続され、前記医用画像管理装置とクライアント端末とがデータ通信可能に接続された医用画像撮影システムであって、前記クライアント端末は、少なくとも撮影部位を含む複数の撮影対象情報に基づいて、当該撮影対象情報のリストを表示手段に表示させる表示制御手段と、前記撮影装置により生成された医用画像に対して、前記表示手段に表示されるリストの中からいずれか一の撮影対象情報を選択するための選択手段と、前記選択された撮影対象情報を示す選択情報を前記医用画像管理装置に送信する送信手段と、を備え、前記医用画像管理装置は、前記クライアント端末から送信された選択情報に基づいて、前記撮影装置により生成された医用画像に対して、前記選択された撮影対象情報を対応付けて記憶手段に記憶させる対応付け手段を備え、前記表示制御手段は、前記表示手段に表示されるリスト上で、前記選択された撮影対象情報については、他の撮影対象情報と区別可能に表示させる。
【００１１】
請求項２に記載の発明は、請求項１に記載の医用画像撮影システムにおいて、前記対応付け手段は、前記撮影装置により生成された複数の医用画像に対して、同一の撮影対象情報を対応付け可能である。
【００１２】
請求項３に記載の発明は、請求項１又は２に記載の医用画像撮影システムにおいて、前記表示制御手段は、前記表示手段に表示されるリスト上で、前記選択された撮影対象情報については、マーク、文字、背景色、又は、当該選択された撮影対象情報に対応する医用画像を付加することにより、他の撮影対象情報と区別可能に表示させる。
【００１３】
請求項４に記載の発明は、請求項１又は２に記載の医用画像撮影システムにおいて、前記表示制御手段は、前記表示手段に表示されるリスト上で、前記選択された撮影対象情報については、他の撮影対象情報と表示位置を変えることにより、他の撮影対象情報と区別可能に表示させる。
【００１４】
請求項５に記載の発明は、請求項１から４のいずれか一項に記載の医用画像撮影システムにおいて、前記撮影対象情報は、さらに、撮影方向又は体位を含む。
【００１５】
請求項６に記載の発明は、請求項１から５のいずれか一項に記載の医用画像撮影システムにおいて、前記表示制御手段は、前記表示手段に表示されるリスト上に、各撮影対象情報に加えて、当該各撮影対象情報に対応する撮影条件を表示させる。
【００１６】
請求項７に記載の発明は、撮影対象物の医用画像を生成する撮影装置とデータ通信可能に接続され、前記撮影装置により生成された医用画像を管理する医用画像管理装置であって、少なくとも撮影部位を含む複数の撮影対象情報に基づいて、当該撮影対象情報のリストを表示手段に表示させる表示制御手段と、前記撮影装置により生成された医用画像に対して、前記表示手段に表示されるリストの中からいずれか一の撮影対象情報を選択するための選択手段と、前記撮影装置により生成された医用画像に対して、前記選択された撮影対象情報を対応付けて記憶手段に記憶させる対応付け手段と、を備え、前記表示制御手段は、前記表示手段に表示されるリスト上で、前記選択された撮影対象情報については、他の撮影対象情報と区別可能に表示させる。
【００１７】
請求項８に記載の発明は、請求項７に記載の医用画像管理装置において、前記対応付け手段は、前記撮影装置により生成された複数の医用画像に対して、同一の撮影対象情報を対応付け可能である。
【００１８】
請求項９に記載の発明は、請求項７又は８に記載の医用画像管理装置において、前記表示制御手段は、前記表示手段に表示されるリスト上で、前記選択された撮影対象情報については、マーク、文字、背景色、又は、当該選択された撮影対象情報に対応する医用画像を付加することにより、他の撮影対象情報と区別可能に表示させる。
【００１９】
請求項１０に記載の発明は、請求項７又は８に記載の医用画像管理装置において、前記表示制御手段は、前記表示手段に表示されるリスト上で、前記選択された撮影対象情報については、他の撮影対象情報と表示位置を変えることにより、他の撮影対象情報と区別可能に表示させる。
【００２０】
請求項１１に記載の発明は、請求項７から１０のいずれか一項に記載の医用画像管理装置において、前記撮影対象情報は、さらに、撮影方向又は体位を含む。
【００２１】
請求項１２に記載の発明は、請求項７から１１のいずれか一項に記載の医用画像管理装置において、前記表示制御手段は、前記表示手段に表示されるリスト上に、各撮影対象情報に加えて、当該各撮影対象情報に対応する撮影条件を表示させる。
【発明の効果】
【００２２】
本発明によれば、リスト上で、選択された撮影対象情報については、他の撮影対象情報と区別可能に表示するので、複数の撮影部位について撮影を行う際に、医用画像に対応付けられていない撮影対象情報が認識しやすくなり、撮影漏れを防止することができる。また、撮影装置により生成された医用画像に対して、撮影対象情報を対応付けるので、複数の撮影部位について撮影を行う際に、任意の順序での撮影が容易になる。
【図面の簡単な説明】
【００２３】
【図１】第１の実施の形態に係る医用画像撮影システムのシステム構成図である。
【図２】ＦＰＤパネルの外観を示す斜視図である。
【図３】ＦＰＤパネルの等価回路を表すブロック図である。
【図４】医用画像管理装置及びクライアント端末の機能的構成を示すブロック図である。
【図５】撮影対象情報テーブルの例である。
【図６】画像情報テーブルの例である。
【図７】医用画像撮影システムにおける医用画像撮影処理を示すラダーチャートである。
【図８】医用画像撮影システムにおける医用画像撮影処理を示すラダーチャートである。
【図９】医用画像撮影システムにおける医用画像撮影処理を示すラダーチャートである。
【図１０】画像表示画面の例である。
【図１１】画像表示画面の例である。
【図１２】画像表示画面の例である。
【図１３】第２の実施の形態における画像表示画面の例である。
【図１４】第３の実施の形態における画像表示画面の例である。
【図１５】第４の実施の形態における画像表示画面の例である。
【図１６】第５の実施の形態に係る医用画像撮影システムのシステム構成図である。
【図１７】医用画像管理装置の機能的構成を示すブロック図である。
【図１８】医用画像管理装置における処理を示すフローチャートである。
【発明を実施するための形態】
【００２４】
［第１の実施の形態］
まず、本発明に係る医用画像撮影システムの第１の実施の形態について、図面を参照して説明する。ただし、本発明は、図示例に限定されるものではない。
【００２５】
図１に、第１の実施の形態に係る医用画像撮影システム１００のシステム構成を示す。医用画像撮影システム１００は、ＦＰＤ（Flat Panel Detector）パネル１、医用画像管理装置３０、クライアント端末４０、放射線発生装置５０、アクセスポイント６０等を備えて構成されている。医用画像管理装置３０とクライアント端末４０とは、通信ネットワークＮを介してデータ通信可能に接続されている。また、ＦＰＤパネル１と医用画像管理装置３０とは、アクセスポイント６０及び通信ネットワークＮを介してデータ通信可能に接続されている。
【００２６】
厩舎Ｒ１，Ｒ２には、それぞれ、ＦＰＤパネル１、クライアント端末４０、放射線発生装置５０、アクセスポイント６０が備えられている。厩舎Ｒ１，Ｒ２では、撮影対象物である競走馬について、放射線画像の撮影が行われる。
ＦＰＤパネル１は、平板状のカセッテ型の撮影装置であり、撮影対象物の医用画像を生成する。ＦＰＤパネル１は、放射線発生装置５０から照射され、被写体を透過した放射線に基づいて、放射線画像の画像データを生成する。ＦＰＤパネル１は、放射線発生装置５０から照射される放射線の照射タイミングを検知し、当該放射線の照射に応じて医用画像を生成するものである。
放射線発生装置５０は、照射タイミングを指示するスイッチが押下されると、設定された放射線照射条件に基づいて所定量の放射線を所定時間照射する。
アクセスポイント６０は、ＦＰＤパネル１との間で無線方式でデータ通信を行うためのアンテナを備えている。
【００２７】
医用画像管理装置３０は、ＦＰＤパネル１等の撮影装置により生成された医用画像を馬に関する情報と対応付けて管理し、外部機器からの要求に応じて医用画像及び馬に関する情報を提供する。馬に関する情報は、人間の患者情報に相当する情報であり、馬識別ＩＤ、馬の名前、性別、生年月日等を含む。医用画像管理装置３０の設置場所は、通信ネットワークＮに接続可能であればどこでもよい。
【００２８】
クライアント端末４０は、医用画像管理装置３０におけるＦＰＤパネル１等の撮影装置からの医用画像の取り込み、医用画像管理装置３０で管理されている医用画像の参照等を指示するためのコンピューター装置である。
【００２９】
また、図示を省略するが、通信ネットワークＮには、ＨＩＳ（Hospital Information System；病院情報システム）やＲＩＳ（Radiology Information System；放射線科情報システム）、あるいは他のコンピューターや、放射線画像をフィルム等の画像記録媒体に記録して出力するイメージャー等が接続されている。
【００３０】
次に、ＦＰＤパネル１の構成について説明する。
図２は、ＦＰＤパネル１の外観を示す斜視図である。図２に示すように、ＦＰＤパネル１は、放射線が照射される側の面である放射線入射面Ｒを有する筐体に、ＦＰＤパネル１の電源をオン／オフするための電源スイッチ２、バッテリー２１（図３参照）の状態やＦＰＤパネル１の動作状態等を表示するＬＥＤ（Light Emitting Diode）等で構成されたインジケーター３、バッテリー２１の充電を行うためのコネクター４が設けられて構成されている。また、図２では図示を省略するが、ＦＰＤパネル１には、アクセスポイント６０を介して医用画像管理装置３０等の外部機器との間で無線通信を行うためのアンテナ装置２３（図３参照）が設けられている。
【００３１】
図３は、ＦＰＤパネル１の等価回路を表すブロック図である。図３に示すように、ＦＰＤパネル１の検出部Ｐには、複数の走査線５と複数の信号線６とが互いに交差するように配設されている。複数の走査線５と複数の信号線６により区画された各小領域には、放射線検出素子７がそれぞれ設けられ、複数の放射線検出素子７が二次元状（マトリクス状）に配列されている。本実施の形態では、放射線検出素子７としてフォトダイオードが用いられているが、例えば、フォトトランジスター等の他の放射線検出素子を用いることも可能である。
【００３２】
各放射線検出素子７の第１電極７ａには、スイッチ手段であるＴＦＴ（Thin Film Transistor；薄膜トランジスタ）８のソース電極８ｓ（図３の「Ｓ」）が接続されている。また、ＴＦＴ８のドレイン電極８ｄ（図３の「Ｄ」）は信号線６に接続され、ＴＦＴ８のゲート電極８ｇ（図３の「Ｇ」）は走査線５に接続されている。
【００３３】
ＴＦＴ８は、走査駆動手段１２から走査線５を介してゲート電極８ｇにオン電圧が印加されるとオン状態となり、ソース電極８ｓやドレイン電極８ｄを介して放射線検出素子７内に蓄積されている電荷を信号線６に放出させるようになっている。また、ＴＦＴ８は、接続された走査線５を介してゲート電極８ｇにオフ電圧が印加されるとオフ状態となり、放射線検出素子７から信号線６への電荷の放出を停止して、放射線検出素子７内に電荷を蓄積するようになっている。
【００３４】
また、１列の放射線検出素子７（図３において縦方向に並ぶ放射線検出素子７）毎に１本の割合でバイアス線９が設けられ、各放射線検出素子７の第２電極７ｂがそれぞれバイアス線９に接続されている。各バイアス線９は検出部Ｐの外側の位置で結線１０に結束されている。結線１０はバイアス電源１１に接続されており、バイアス電源１１から結線１０や各バイアス線９を介して各放射線検出素子７の第２電極７ｂに逆バイアス電圧が印加されるようになっている。
【００３５】
各走査線５は、走査駆動手段１２のゲートドライバー１２ｂにそれぞれ接続されている。走査駆動手段１２では、配線１２ｃを介して電源回路１２ａからゲートドライバー１２ｂにオン電圧とオフ電圧が供給されるようになっている。そして、ゲートドライバー１２ｂで走査線５の各ラインＬ１〜Ｌｘに印加する電圧をオン電圧とオフ電圧との間で切り替えることで、各ＴＦＴ８のオン／オフ動作を制御するようになっている。
【００３６】
また、各信号線６は、読み出しＩＣ１３内に内蔵された各読み出し回路１４にそれぞれ接続されている。読み出し回路１４は、増幅回路１５、相関二重サンプリング回路（ＣＤＳ）１６等で構成されている。読み出しＩＣ１３内には、さらに、アナログマルチプレクサー１７と、Ａ／Ｄ変換器１８とが設けられている。
【００３７】
各放射線検出素子７からの画像データの読み出し処理では、走査駆動手段１２のゲートドライバー１２ｂから走査線５の所定のラインＬｎにオン電圧が印加されると、走査線５の当該ラインＬｎを介してそれに接続されている各ＴＦＴ８のゲート電極８ｇにオン電圧が印加されて各ＴＦＴ８がオン状態となり、オン状態となった各ＴＦＴ８と接続されている放射線検出素子７から各ＴＦＴ８を介して信号線６に電荷が放出される。
【００３８】
増幅回路１５では、信号線６を介して流れ込んできた電荷の量に応じた電圧値が出力側から出力される。相関二重サンプリング回路１６は、各放射線検出素子７から電荷が流れ込む前後の増幅回路１５からの出力値の増加分をアナログ値の画像データとして下流側に出力する。
【００３９】
そして、出力された各画像データがアナログマルチプレクサー１７を介してＡ／Ｄ変換器１８に順次送信され、Ａ／Ｄ変換器１８でデジタル値の画像データに順次変換されて記憶部２０に出力されて順次保存される。
【００４０】
制御部１９は、図示しないＣＰＵ（Central Processing Unit）、ＲＯＭ（Read Only Memory）、ＲＡＭ（Random Access Memory）、入出力インターフェース等がバスに接続されたコンピューターや、ＦＰＧＡ（Field Programmable Gate Array）等により構成されている。なお、制御部１９は、専用の制御回路で構成されていてもよい。
【００４１】
制御部１９は、走査駆動手段１２や読み出し回路１４を制御して画像データの読み出し処理を行わせる等、ＦＰＤパネル１の各機能部の動作等を制御するようになっている。また、制御部１９には、ＳＲＡＭ（Static ＲＡＭ）やＳＤＲＡＭ（Synchronous ＤＲＡＭ）等で構成される記憶部２０が接続されている。
【００４２】
また、制御部１９には、走査駆動手段１２、読み出し回路１４、記憶部２０、バイアス電源１１等の各機能部に必要な電力を供給するバッテリー２１が接続されている。
【００４３】
さらに、制御部１９には、無線通信部２２が接続されており、無線通信部２２は、アンテナ装置２３を介して外部機器との間で無線通信を行うようになっている。無線通信部２２は、例えば、ＩＥＥＥ８０２．１１方式の無線ＬＡＮで外部機器と無線通信を行うように構成されている。
【００４４】
ＦＰＤパネル１は、「駆動状態」、「駆動準備状態」、「非駆動状態」の３段階の状態を取り得る。
【００４５】
駆動状態とは、いつでも撮影可能な状態である。具体的には、ゲートドライバー１２ｂにより、走査線５の各ラインＬ１〜Ｌｘにオン電圧を印加して、放射線検出素子７に蓄積された電荷の読み出しを繰り返し行うことで、常に電荷がリセットされている状態である。ゲートドライバー１２ｂにより、走査線５を介してゲート電極８ｇにオフ電圧を印加することで、いつでも電荷の蓄積を開始することができる。ＦＰＤパネル１が駆動状態である場合、３段階の状態のうち、最も消費電力が大きい。
【００４６】
駆動準備状態とは、すぐに駆動状態に遷移可能な状態であり、非駆動状態から駆動状態に移行する時間より、駆動準備状態から駆動状態に移行する時間の方が短い。具体的には、走査線５の各ラインＬ１〜Ｌｘにオン電圧／オフ電圧を印加せず、読み出しを停止している状態である。その他は全て駆動状態と同じ状態であり、電荷の読み出しのための電力の分、電力消費量が少ない状態である。すなわち、ＦＰＤパネル１が駆動準備状態である場合、駆動状態よりは消費電力が小さいが、非駆動状態よりは消費電力が大きい。非駆動状態から駆動状態へ移行するには数秒間かかるため、非駆動状態でユーザーが撮影しようとしてもすぐに撮影できないが、駆動準備状態では、放射線検出素子７に蓄積された電荷の読み出しを行い、電荷をリセットすることで、いつでも駆動状態に遷移可能である。
【００４７】
非駆動状態とは、一部ユニットに電力供給を停止した、撮影できない状態である。具体的には、外部機器からの信号を受信できるように無線通信部２２や制御部１９等の最小限起動していることが必要な機能部にのみ電力を供給し、それ以外への電力供給を停止している状態である。ＦＰＤパネル１が非駆動状態である場合、３段階の状態のうち、最も消費電力が小さい。
【００４８】
次に、図４を参照して、医用画像管理装置３０及びクライアント端末４０の機能的構成について説明する。
【００４９】
図４に示すように、クライアント端末４０は、制御部４１、操作部４２、表示部４３、通信部４４、ＲＡＭ４５、記憶部４６等を備えて構成され、各部はバス４７により接続されている。
【００５０】
制御部４１は、ＣＰＵ等により構成され、記憶部４６に記憶されているシステムプログラムや処理プログラム等の各種プログラムを読み出してＲＡＭ４５に展開し、展開されたプログラムに従って各種処理を実行する。
【００５１】
操作部４２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部４１に出力する。
操作部４２は、ＦＰＤパネル１等の撮影装置により生成された医用画像に対して、表示部４３に表示されるリストの中からいずれか一の撮影対象情報を選択する際に用いられる。すなわち、操作部４２は、選択手段として機能する。
【００５２】
撮影対象情報は、撮影対象物のどの部位を撮影するかを示す情報であり、少なくとも撮影部位を含む。撮影部位は、右前足足関節等、撮影対象となる部位を示す情報である。また、撮影対象情報は、さらに、撮影方向又は体位を含む。撮影方向は、正面、側面等、撮影部位を撮影する方向を示す情報である。撮影方向には、ＡＰ、ＰＡ等の撮影の向きを示す情報が含まれていてもよい。体位は、仰臥位（仰向け）、側臥位（横向き）等、体の位置や姿勢を示す情報である。本実施の形態では、撮影対象情報に撮影部位及び撮影方向が含まれる場合を例にして説明する。
【００５３】
表示部４３は、ＬＣＤ（Liquid Crystal Display）で構成されており、制御部４１から入力される表示信号の指示に従って、各種画面を表示する。例えば、表示部４３には、医用画像管理装置３０から送信された医用画像が表示される。
【００５４】
通信部４４は、ネットワークインターフェース等により構成され、通信ネットワークＮに接続された外部機器との間でデータの送受信を行う。例えば、通信部４４は、選択された撮影対象情報を示す選択情報を医用画像管理装置３０に送信する。すなわち、通信部４４は、送信手段として機能する。
通信部４４は、通信ネットワークＮに接続された外部機器との間でＷｉ−Ｆｉ（Wireless Fidelity）通信等の無線通信によりデータの送受信を行うものであってもよく、例えば、通信サービス事業者が設置した無線基地局を介して無線信号の送受信を行うアンテナやＲＦ変換器等によって実現される。また、通信部４４は、赤外線通信（ＩｒＤＡ／ＩｒＭＣ）、Bluetooth（登録商標）等を用いて、医用画像管理装置３０との間で無線通信を行うものであってもよい。
【００５５】
ＲＡＭ４５は、制御部４１により実行制御される各種処理において、記憶部４６から読み出された制御部４１で実行可能な各種プログラム、入力若しくは出力データ等を一時的に記憶するワークエリアとして機能する。
【００５６】
記憶部４６は、ＨＤＤ（Hard Disk Drive）や半導体の不揮発性メモリー等で構成されている。記憶部４６には、各種プログラムや、各種処理に必要なデータ等が記憶されている。例えば、記憶部４６には、撮影対象情報テーブルＴ１（図５参照）が記憶される。
【００５７】
図５に、撮影対象情報テーブルＴ１の例を示す。
撮影対象情報テーブルＴ１は、複数の撮影対象情報から構成されており、撮影対象情報毎に、部位・方向ＩＤと、部位・方向名称と、が対応付けられている。部位・方向ＩＤは、撮影部位及び撮影方向の組み合わせのそれぞれを識別するために付与された識別情報である。例えば、部位・方向名称「右前足足関節−正面」には、部位・方向ＩＤ「１」が対応付けられている。撮影対象情報テーブルＴ１は、競走馬用の検査として登録されている複数の検査毎に予め用意されている。
【００５８】
制御部４１は、複数の撮影対象情報を含む撮影対象情報テーブルＴ１に基づいて、撮影対象情報テーブルＴ１に含まれる撮影対象情報のリスト（部位・方向リスト）を表示部４３に表示させる。すなわち、制御部４１は、表示制御手段として機能する。
【００５９】
制御部４１は、通信部４４を制御して、選択された撮影対象情報を示す選択情報を医用画像管理装置３０に送信させる。
【００６０】
制御部４１は、医用画像管理装置３０の記憶部３６に記憶されている画像情報テーブルＴ２（図６参照）に基づいて、表示部４３に表示される部位・方向リスト上で、選択された撮影対象情報については、他の撮影対象情報と区別可能に表示させる。
【００６１】
具体的には、制御部４１は、表示部４３に表示される部位・方向リスト上で、選択された撮影対象情報については、チェックマークを付加することにより、他の撮影対象情報と区別可能に表示させる。
【００６２】
図４に示すように、医用画像管理装置３０は、制御部３１、操作部３２、表示部３３、通信部３４、ＲＡＭ３５、記憶部３６等を備えて構成され、各部はバス３７により接続されている。
【００６３】
制御部３１は、ＣＰＵ等により構成され、記憶部３６に記憶されているシステムプログラムや処理プログラム等の各種プログラムを読み出してＲＡＭ３５に展開し、展開されたプログラムに従って各種処理を実行する。
【００６４】
操作部３２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部３１に出力する。
【００６５】
表示部３３は、ＬＣＤ等のモニターを備えて構成されており、制御部３１から入力される表示信号の指示に従って、各種画面を表示する。
【００６６】
通信部３４は、ネットワークインターフェース等により構成され、通信ネットワークＮに接続された外部機器との間でデータの送受信を行う。
【００６７】
ＲＡＭ３５は、制御部３１により実行制御される各種処理において、記憶部３６から読み出された制御部３１で実行可能な各種プログラム、入力若しくは出力データ等を一時的に記憶するワークエリアとして機能する。
【００６８】
記憶部３６は、ＨＤＤや半導体の不揮発性メモリー等で構成されている。記憶部３６には、各種プログラムや、各種処理に必要なデータ等が記憶されている。例えば、記憶部３６には、画像情報テーブルＴ２（図６参照）が記憶される。
【００６９】
図６に、画像情報テーブルＴ２の例を示す。
画像情報テーブルＴ２は、ＦＰＤパネル１等の撮影装置により生成された医用画像に対して、選択された撮影対象情報を対応付けたテーブルである。具体的には、画像情報テーブルＴ２では、画像ＩＤ、画像ファイル番号に対して、部位・方向ＩＤが対応付けられる。画像ＩＤは、医用画像を識別するために付与された識別情報である。画像ファイル番号は、医用画像のファイルを示す番号である。画像情報テーブルＴ２は、撮影対象となる馬毎、検査毎に作成される。
【００７０】
制御部３１は、クライアント端末４０から送信された選択情報に基づいて、ＦＰＤパネル１等の撮影装置により生成された医用画像に対して、選択された撮影対象情報を対応付けて記憶部３６に記憶させる。すなわち、制御部３１は、対応付け手段として機能する。
制御部３１は、ＦＰＤパネル１等の撮影装置により生成された複数の医用画像に対して、同一の撮影対象情報を対応付けることができる。
【００７１】
次に、医用画像撮影システム１００における動作について説明する。
図７〜図９は、医用画像撮影システム１００における医用画像撮影処理を示すラダーチャートである。ここでは、厩舎Ｒ１内で馬の撮影を行う場合を例にして説明する。
【００７２】
まず、厩舎Ｒ１に設置されているクライアント端末４０において、制御部４１により、医用画像撮影システム１００内の各ＦＰＤパネル１を示す情報、及び、医用画像管理装置３０に登録されている馬に関する情報が通信部４４を介して医用画像管理装置３０から取得され、取得された情報に基づいて、受付画面が表示部４３に表示される。受付画面には、パネル選択領域、馬リスト表示領域が含まれる。パネル選択領域には、医用画像撮影システム１００内の各ＦＰＤパネル１を選択するためのパネル選択ボタンが含まれる。馬リスト表示領域には、馬のリストが表示される。
【００７３】
受付画面において、操作部４２からの操作により、パネル選択領域のいずれかのパネル選択ボタンが押下され、画像取り込み対象となる厩舎Ｒ１内のＦＰＤパネル１が選択されると（ステップＳ１）、制御部４１により、選択されたＦＰＤパネル１を示す情報が通信部４４を介して医用画像管理装置３０に送信される。
医用画像管理装置３０では、通信部３４により、選択されたＦＰＤパネル１を示す情報が受信され、制御部３１により、選択されたＦＰＤパネル１が画像取り込み対象のＦＰＤパネル１として設定される（ステップＳ２）。
【００７４】
次に、クライアント端末４０において、操作部４２からの操作により、受付画面の馬リスト表示領域に表示されている馬の中から撮影対象馬が選択されると（ステップＳ３）、制御部４１により、選択された撮影対象馬を示す情報が通信部４４を介して医用画像管理装置３０に送信され、撮影対象馬の画像を表示するための画像表示画面が表示部４３に表示される（ステップＳ４）。
【００７５】
図１０に、画像表示画面４３１の例を示す。
画像表示画面４３１には、パネル選択領域Ａ１、画像取り込み指示領域Ａ２、画像表示領域Ａ３、リスト表示領域Ａ４、撮影済み画像表示領域Ａ５、画像編集領域Ａ６、パネル状態表示領域Ａ７が含まれる。
【００７６】
パネル選択領域Ａ１には、パネル選択ボタンＢ１，Ｂ２が含まれる。パネル選択ボタンＢ１は、厩舎Ｒ１内のＦＰＤパネル１に対応し、パネル選択ボタンＢ２は、厩舎Ｒ２内のＦＰＤパネル１に対応している。ステップＳ１において、厩舎Ｒ１内のＦＰＤパネル１が選択されているため、図１０では、パネル選択ボタンＢ１が押下された状態となっている。
【００７７】
画像取り込み指示領域Ａ２には、画像取り込みボタンＢ３，Ｂ４が含まれる。画像取り込みボタンＢ３，Ｂ４は、対応する撮影装置から送信される医用画像を、現在診断対象となっている馬の画像として取り込むことを指示するためのボタンである。画像取り込みボタンＢ３は、厩舎Ｒ１，Ｒ２内のＦＰＤパネル１に対応し、画像取り込みボタンＢ４は、図示しないＣＲ（Computed Radiography）装置に対応している。画像取り込みボタンＢ３，Ｂ４は、押下された状態では、医用画像管理装置３０における画像取り込み待機状態の解除を指示するための画像取り込み解除ボタンとなる。
【００７８】
画像表示領域Ａ３は、ＦＰＤパネル１等の撮影装置により生成され、医用画像管理装置３０に取り込まれた医用画像、又は、撮影済み画像表示領域Ａ５において選択されたサムネイル画像に対応する医用画像が表示される領域である。なお、画像を取り込む前や、サムネイル画像を選択する前は、画像表示領域Ａ３には、画像は表示されていない。
【００７９】
リスト表示領域Ａ４は、撮影対象情報のリスト、すなわち、実施される検査において撮影すべき撮影部位及び撮影方向の組み合わせのリストが表示される領域である。なお、検査が選択される前は、リスト表示領域Ａ４は、空欄である。
撮影済み画像表示領域Ａ５は、撮影済みの医用画像のサムネイル画像が表示される領域である。
【００８０】
画像編集領域Ａ６は、画像表示領域Ａ３に表示される医用画像に対して、濃度／コントラスト調整、拡大／縮小処理、回転／反転処理、アノテーションの付加等を行う際に用いられる。
パネル状態表示領域Ａ７は、選択されたＦＰＤパネル１のパネル状態が表示される領域である。
【００８１】
医用画像管理装置３０では、通信部３４により、選択された撮影対象馬を示す情報が受信された場合に、すなわち、クライアント端末４０の表示部４３に表示される画面が、撮影対象馬の画像表示画面（医用画像の取り込みを指示することが可能な画面）に遷移したタイミングで、制御部３１により、複数存在するＦＰＤパネル１のうち選択されていないＦＰＤパネル１（厩舎Ｒ２内のＦＰＤパネル１）に非駆動状態への移行を指示する非駆動指示が通信部３４を介して送信され（ステップＳ５）、選択されているＦＰＤパネル１（厩舎Ｒ１内のＦＰＤパネル１）に駆動準備状態への移行を指示する駆動準備指示が通信部３４を介して送信される（ステップＳ６）。
【００８２】
選択されていないＦＰＤパネル１（厩舎Ｒ２内のＦＰＤパネル１）では、無線通信部２２により、非駆動指示が受信されると、制御部１９により、非駆動状態に変更される（ステップＳ７）。
選択されているＦＰＤパネル１（厩舎Ｒ１内のＦＰＤパネル１）では、無線通信部２２により、駆動準備指示が受信されると、制御部１９により、駆動準備状態に変更される（ステップＳ８）。
【００８３】
次に、厩舎Ｒ１に設置されているクライアント端末４０において、操作部４２からの操作により、競走馬用の検査として予め登録されている複数の検査の中から今回実施される検査が選択されると（ステップＳ９）、制御部４１により、選択された検査に対応する撮影対象情報テーブルＴ１が記憶部４６から読み出される。そして、制御部４１により、読み出された撮影対象情報テーブルＴ１に含まれる複数の撮影対象情報に基づいて、選択された検査において撮影すべき撮影部位及び撮影方向の組み合わせのリスト（部位・方向リスト）が表示部４３に表示される（ステップＳ１０）。
例えば、図１０に示すように、画像表示画面４３１のリスト表示領域Ａ４に部位・方向リストが表示される。ここでは、選択された検査に含まれる撮影部位及び撮影方向の組み合わせとして、「右前足足関節−正面」Ｃ１、「右前足足関節−側面」Ｃ２、「左前足足関節−正面」Ｃ３、「左前足足関節−側面」Ｃ４、「右後足足関節−正面」Ｃ５、「右後足足関節−側面」Ｃ６、「左後足足関節−正面」Ｃ７、「左後足足関節−側面」Ｃ８が表示されている。
【００８４】
なお、撮影対象情報テーブルＴ１は、記憶部４６に予め記憶されているものを用いるだけでなく、撮影オーダー情報に基づいて、生成してもよい。
【００８５】
次に、厩舎Ｒ１に設置されているクライアント端末４０では、画像表示画面において、操作部４２からの操作により、画像取り込みボタンが押下されると（ステップＳ１１）、制御部４１により、医用画像管理装置３０に対して、押下された画像取り込みボタンに対応する撮影装置から送信される医用画像を、撮影対象馬の画像として取り込む旨の指示（画像取り込み指示）が通信部４４を介して送信される。
例えば、図１０に示す画像表示画面４３１において、画像取り込みボタンＢ３が押下されると、制御部４１により、医用画像管理装置３０に対して、パネル選択領域Ａ１において選択されているＦＰＤパネル１から送信される医用画像を取り込む旨の指示が送信される。
【００８６】
医用画像管理装置３０では、通信部３４により、画像取り込み指示が受信されると、制御部３１により、装置状態がオフラインからオンラインへと変更される（ステップＳ１２）。具体的には、制御部３１により、画像取り込み指示を送信したクライアント端末４０を特定するための情報が保持され、選択されたＦＰＤパネル１において生成される医用画像の取り込み待機状態となる。なお、医用画像管理装置３０では、画像取り込み指示を送信したクライアント端末４０から画像取り込み待機状態を解除する旨の指示があるまでは、他のクライアント端末４０から送信される画像取り込み指示を受け付けないようにする。
【００８７】
また、医用画像管理装置３０では、通信部３４により、画像取り込み指示が受信されたことを契機として、制御部３１により、選択されているＦＰＤパネル１（厩舎Ｒ１内のＦＰＤパネル１）に駆動状態への移行を指示する駆動指示が通信部３４を介して送信される（ステップＳ１３）。また、制御部３１により、ＦＰＤパネル１により生成される医用画像の送信先として、画像取り込み指示を送信したクライアント端末４０（厩舎Ｒ１内のクライアント端末４０）が設定される。
【００８８】
選択されているＦＰＤパネル１（厩舎Ｒ１内のＦＰＤパネル１）では、無線通信部２２により、駆動指示が受信されると、制御部１９により、駆動状態に変更される（ステップＳ１４）。そして、図８に移行し、選択されているＦＰＤパネル１は、放射線発生装置５０からの放射線照射の待機状態となる（ステップＳ１５）。
【００８９】
放射線発生装置５０において、放射線が照射されると（ステップＳ１６）、選択されたＦＰＤパネル１では、制御部１９により、放射線発生装置５０による放射線の照射が検知され、画像が読み取られる（ステップＳ１７）。具体的には、制御部１９により、放射線の照射に応じて、各放射線検出素子７における画像生成用の電荷の蓄積が開始され、所定時間経過後に各放射線検出素子７に蓄積された電荷が読み出され、被写体を透過した放射線量に基づく画像信号が取得され、画像データが生成される。
【００９０】
次に、選択されたＦＰＤパネル１では、制御部１９により、読み取られた医用画像が無線通信部２２を介して医用画像管理装置３０に送信される（ステップＳ１８）。
【００９１】
医用画像管理装置３０では、通信部３４により、選択されたＦＰＤパネル１から送信された医用画像が受信され（ステップＳ１９）、制御部３１により、受信された医用画像が記憶部３６に保存される（ステップＳ２０）。具体的には、制御部３１により、ＦＰＤパネル１から取り込まれた医用画像が記憶部３６に記憶されるとともに、撮影対象馬の対象検査に対応する画像情報テーブルＴ２に新規レコードが追加され、取り込まれた医用画像の画像ＩＤ及び画像ファイル番号が格納される。
【００９２】
次に、医用画像管理装置３０では、制御部３１により、ＦＰＤパネル１から受信された医用画像が、送信先に設定されたクライアント端末４０に通信部３４を介して送信される。
画像取り込み指示を送信したクライアント端末４０では、通信部４４により、医用画像管理装置３０から送信された医用画像が受信され、制御部４１により、受信された医用画像が表示部４３に表示される（ステップＳ２１）。
例えば、図１０に示すように、受信された医用画像が画像表示画面４３１の画像表示領域Ａ３に表示され、画像表示領域Ａ３に表示されている医用画像を縮小したサムネイル画像Ｄ１が撮影済み画像表示領域Ａ５に表示される。
【００９３】
次に、クライアント端末４０において、操作部４２からの操作により、対象画像が選択される（ステップＳ２２）。通常は、直前にＦＰＤパネル１等の撮影装置から取り込まれ、画像表示領域Ａ３に表示されている医用画像が選択された状態となっている。撮影部位及び撮影方向を対応付ける画像を変更する場合には、撮影済み画像表示領域Ａ５に表示されているサムネイル画像の中から対象画像が選択される。
【００９４】
次に、操作部４２からの操作により、表示部４３に表示されている部位・方向リストから、表示中の医用画像に対応するいずれか一の撮影部位及び撮影方向の組み合わせ（撮影対象情報）が選択されると（ステップＳ２３）、制御部４１により、選択された撮影部位及び撮影方向の組み合わせを示す選択情報（部位・方向ＩＤ等）が通信部４４を介して医用画像管理装置３０に送信される。
例えば、画像表示画面４３１のリスト表示領域Ａ４に表示されている部位・方向リストから、画像表示領域Ａ３に表示されている医用画像に対応する撮影部位及び撮影方向の組み合わせとして、「右前足足関節−側面」Ｃ２が選択される。
【００９５】
医用画像管理装置３０では、通信部３４により、クライアント端末４０から送信された選択情報が受信され、制御部３１により、選択情報に基づいて、ＦＰＤパネル１により生成された医用画像に対して、選択された撮影部位及び撮影方向の組み合わせが対応付けられて記憶部３６に記憶される（ステップＳ２４）。具体的には、制御部３１により、撮影対象馬の対象検査に対応する画像情報テーブルＴ２において、対象画像の画像ＩＤ及び画像ファイル番号に対応付けられて、選択された撮影部位及び撮影方向の組み合わせに対応する部位・方向ＩＤが格納される。
なお、画像情報テーブルＴ２では、異なる複数の医用画像（画像ＩＤ及び画像ファイル番号）に対して、同一の部位・方向ＩＤを対応付けることが可能である。
【００９６】
次に、クライアント端末４０では、制御部４１により、表示部４３に表示される部位・方向リスト上の撮影状態の表示が更新される（ステップＳ２５）。具体的には、制御部４１により、医用画像管理装置３０の記憶部３６に記憶されている画像情報テーブルＴ２に基づいて、部位・方向リスト上で、既に選択された撮影部位及び撮影方向の組み合わせについては、他の撮影部位及び撮影方向の組み合わせと区別可能に表示される。
【００９７】
より詳細には、制御部４１により、医用画像管理装置３０に対して、部位・方向リストに表示されている各部位・方向について、撮影対象情報テーブルＴ１の各部位・方向名称に対応する部位・方向ＩＤが、撮影対象馬の対象検査に対応する画像情報テーブルＴ２に含まれるか否かの問い合わせが行われる。
医用画像管理装置３０では、制御部３１により、撮影対象情報テーブルＴ１の各部位・方向ＩＤが画像情報テーブルＴ２に含まれるか検索され、各部位・方向ＩＤが画像情報テーブルＴ２に含まれている場合には、その部位・方向については医用画像と対応付けられていると判断され、対応付け済みであることを示す情報が通信部３４を介してクライアント端末４０に送信される。一方、各部位・方向ＩＤが画像情報テーブルＴ２に含まれていない場合には、制御部３１により、その部位・方向については医用画像と対応付けられていないと判断され、対応付け済みでないことを示す情報が通信部３４を介してクライアント端末４０に送信される。
クライアント端末４０では、通信部４４により、対応付け済みであるか否かを示す情報が受信さる。そして、制御部４１により、既に医用画像と対応付けられている撮影部位及び撮影方向の組み合わせについては、部位・方向リスト上にチェックマークが表示される。
【００９８】
例えば、図５に示す撮影対象情報テーブルＴ１によると、「右前足足関節−側面」の部位・方向ＩＤは「２」である。撮影対象馬の対象検査に対応する画像情報テーブルＴ２に部位・方向ＩＤ＝２のレコードが含まれるか検索され、該当するレコードがある場合には、「右前足足関節−側面」については医用画像が対応付けられていると判断される。
【００９９】
なお、部位・方向リストの表示の更新については、毎回部位・方向リスト内の全ての撮影部位及び撮影方向の組み合わせについて行う必要はなく、ステップＳ２３で選択された撮影部位及び撮影方向の組み合わせについてのみ行ってもよい。
また、クライアント端末４０側で、ステップＳ２３で選択された撮影部位及び撮影方向の組み合わせを示す情報を保持しておき、この情報に基づいて、表示部４３に表示される部位・方向リスト上で、選択された撮影部位及び撮影方向の組み合わせについては、他の撮影部位及び撮影方向の組み合わせと区別可能に表示させることとしてもよい。
【０１００】
図１１に、対象画像に対して、撮影部位及び撮影方向の組み合わせが対応付けられた後の画像表示画面４３２の例を示す。画像表示画面４３２に含まれる各領域Ａ１〜Ａ７については、画像表示画面４３１と同様であるため、説明を省略する。
リスト表示領域Ａ４に表示されている部位・方向リストにおいて、「右前足足関節−側面」Ｃ２が選択されると、部位・方向リスト上の「右前足足関節−側面」Ｃ２にチェックマークＭ１が付加されるとともに、画像表示領域Ａ３に表示されている医用画像上に「右前足足関節−側面」という部位・方向名称Ｅ１が表示される。
【０１０１】
次に、対象画像を変更する場合には（ステップＳ２６；ＹＥＳ）、操作部４２からの操作により、撮影済み画像表示領域Ａ５に表示されているサムネイル画像の中から対象画像が選択され、ステップＳ２２に戻り、処理が繰り返される。このようにして、既に撮影部位及び撮影方向の組み合わせが対応付けられている医用画像について、対応付ける撮影部位及び撮影方向の組み合わせを変更することもできる。
【０１０２】
ステップＳ２６において、対象画像を変更しない場合には（ステップＳ２６；ＮＯ）、図９に移行する。そして、撮影者は、表示部４３に表示されている部位・方向リストを確認し、全ての撮影が終了したか否かを判断する（ステップＳ２７）。
【０１０３】
ここで、終了していない撮影がある場合には（ステップＳ２７；ＮＯ）、ステップＳ１５に戻り、処理が繰り返される。
【０１０４】
図１２に、「右前足足関節−側面」に続いて「右前足足関節−正面」の撮影が行われ、対象画像に対して、撮影部位及び撮影方向の組み合わせが対応付けられた後の画像表示画面４３３の例を示す。画像表示画面４３３に含まれる各領域Ａ１〜Ａ７については、画像表示画面４３１と同様であるため、説明を省略する。
新たに撮影された医用画像が画像表示画面４３３の画像表示領域Ａ３に表示され、画像表示領域Ａ３に表示されている医用画像を縮小したサムネイル画像Ｄ２が撮影済み画像表示領域Ａ５に追加されている。
リスト表示領域Ａ４に表示されている部位・方向リストにおいて、「右前足足関節−正面」Ｃ１が選択されると、部位・方向リスト上の「右前足足関節−正面」Ｃ１にチェックマークＭ２が付加されるとともに、画像表示領域Ａ３に表示されている医用画像上に「右前足足関節−正面」という部位・方向名称Ｅ２が表示される。
【０１０５】
なお、チェックマークＭ１が付加されている「右前足足関節−側面」Ｃ２、チェックマークＭ２が付加されている「右前足足関節−正面」Ｃ１についても、画像表示領域Ａ３に表示されている医用画像に対応する撮影部位及び撮影方向の組み合わせとして、再度選択することができる。
【０１０６】
ステップＳ２７において、全ての撮影が終了した場合には（ステップＳ２７；ＹＥＳ）、厩舎Ｒ１に設置されているクライアント端末４０では、画像表示画面において、操作部４２からの操作により、画像取り込み解除ボタン（画像取り込みボタンＢ３が押下された状態のボタン）が押下される（ステップＳ２８）。そして、制御部４１により、医用画像管理装置３０に対して、画像取り込み待機状態の解除指示が通信部４４を介して送信される。
【０１０７】
医用画像管理装置３０では、通信部３４により、画像取り込み待機状態の解除指示が受信されると、制御部３１により、装置状態がオンラインからオフラインへと変更される（ステップＳ２９）。具体的には、制御部３１により、選択されたＦＰＤパネル１において生成される医用画像の取り込み待機状態が解除される。
【０１０８】
また、医用画像管理装置３０では、通信部３４により、画像取り込み待機状態の解除指示が受信されたことを契機として、制御部３１により、選択されているＦＰＤパネル１（厩舎Ｒ１内のＦＰＤパネル１）に駆動準備状態への移行を指示する駆動準備指示が通信部３４を介して送信される（ステップＳ３０）。
【０１０９】
選択されているＦＰＤパネル１（厩舎Ｒ１内のＦＰＤパネル１）では、無線通信部２２により、駆動準備指示が受信されると、制御部１９により、駆動準備状態に変更される（ステップＳ３１）。
【０１１０】
次に、厩舎Ｒ１に設置されているクライアント端末４０では、操作部４２からの操作により、画像表示画面の終了ボタン（図１０に示す終了ボタンＢ５参照）が押下されると、制御部４１により、医用画像管理装置３０に対して、撮影終了指示が通信部４４を介して送信される（ステップＳ３２）。
【０１１１】
医用画像管理装置３０では、通信部３４により、撮影終了指示が受信されると、制御部３１により、選択されているＦＰＤパネル１に非駆動状態への移行を指示する非駆動指示が通信部３４を介して送信される（ステップＳ３３）。
【０１１２】
選択されているＦＰＤパネル１では、無線通信部２２により、非駆動指示が受信されると、制御部１９により、非駆動状態に変更される（ステップＳ３４）。
以上で、医用画像撮影処理が終了する。
【０１１３】
以上説明したように、第１の実施の形態によれば、検査に含まれる撮影部位及び撮影方向の組み合わせ（撮影対象情報）のリストを表示するので、撮影すべき撮影部位及び撮影方向の組み合わせを提示することができる。また、部位・方向リスト上で、選択された撮影部位及び撮影方向の組み合わせについては、チェックマークを付加することにより、他の撮影部位及び撮影方向の組み合わせと区別可能に表示するので、複数の撮影部位及び撮影方向の組み合わせについて撮影を行う際に、医用画像に対応付けられていない撮影部位及び撮影方向の組み合わせが認識しやすくなり、撮影漏れを防止することができる。また、ＦＰＤパネル１等の撮影装置により生成された医用画像に対して、撮影部位及び撮影方向の組み合わせを撮影後に対応付けるので、複数の撮影部位及び撮影方向の組み合わせについて撮影を行う際に、任意の順序での撮影が容易になる。
【０１１４】
また、病変の状態によっては１枚の医用画像からでは十分な診断性能が得られず、念のため、同一の撮影部位及び撮影方向についてもう１回撮影を行う場合がある。従来は、部位・方向情報を含む撮影対象情報に対して画像が１対１で対応付けられる構造になっていたため、一旦画像を破棄して撮影し直すか、撮影対象情報をコピーして同じ撮影部位及び撮影方向について撮影対象情報を作成した後、再撮影を行っていた。
しかし、第１の実施の形態によれば、撮影装置により生成された複数の医用画像に対して、同一の撮影部位及び撮影方向の組み合わせを対応付けることができるので、撮影し直す場合や、複数の画像から総合的に診断する場合等の操作が容易になる。例えば、従来問題となっていた、先に撮影した画像を破棄した後に再撮影した結果、元の画像の方が良かったという状況を回避することができる。動物の場合、撮影者の意図した通りに撮影する部位の動きを止めることが難しく、再撮影してもより適した画像が得られるとは限らないため、特に有効である。
【０１１５】
なお、撮影対象情報のリスト上で、選択された撮影対象情報を、他の撮影対象情報と区別可能に表示する際には、チェックマークに限らず他のマークを付加してもよい。また、選択された撮影対象情報に対して、「撮影済み」等の文字を付加してもよい。また、選択された撮影対象情報に対して、背景色を付加してもよいし、選択された撮影対象情報と、他の撮影対象情報と、を異なる背景色で表示することとしてもよい。
【０１１６】
［第２の実施の形態］
次に、本発明を適用した第２の実施の形態について説明する。
第２の実施の形態における医用画像撮影システムは、第１の実施の形態に示した医用画像撮影システム１００と同様の構成によってなるため、図１〜図４を援用し、その構成については図示及び説明を省略する。また、撮影対象情報テーブルＴ１（図５参照）、画像情報テーブルＴ２（図６参照）、医用画像撮影処理（図７〜図９参照）についても第１の実施の形態と同様である。以下、第２の実施の形態に特徴的な構成及び処理について説明する。
【０１１７】
第２の実施の形態では、クライアント端末４０の表示部４３に表示される部位・方向リスト上で、選択された撮影対象情報について、他の撮影対象情報と区別可能に表示させる際の表示方法が、第１の実施の形態と異なる。
【０１１８】
制御部４１は、表示部４３に表示される部位・方向リスト上で、選択された撮影対象情報については、選択された撮影対象情報に対応する医用画像を付加することにより、他の撮影対象情報と区別可能に表示させる。
【０１１９】
図１３に、第２の実施の形態における画像表示画面４３４の例を示す。画像表示画面４３４に含まれる各領域Ａ１〜Ａ３，Ａ５〜Ａ７については、画像表示画面４３１と同様であるため、説明を省略する。
画像表示画面４３４に含まれるリスト表示領域Ａ８は、撮影対象情報のリスト、すなわち、実施される検査において撮影すべき撮影部位及び撮影方向の組み合わせのリストが表示される領域である。なお、検査が選択される前は、リスト表示領域Ａ８は、空欄である。
【０１２０】
リスト表示領域Ａ８に表示される部位・方向リストに含まれる「右前足足関節−正面」Ｃ１、「右前足足関節−側面」Ｃ２については、それぞれ、撮影部位及び撮影方向の組み合わせに対応する画像Ｆ１，Ｆ２が表示されており、「左前足足関節−正面」Ｃ３、「左前足足関節−側面」Ｃ４、「右後足足関節−正面」Ｃ５、「右後足足関節−側面」Ｃ６、「左後足足関節−正面」Ｃ７、「左後足足関節−側面」Ｃ８については、画像が表示されていない。例えば、画像Ｆ１，Ｆ２として、撮影部位及び撮影方向の組み合わせに対応する医用画像の画素を間引き、縮小した画像が用いられる。
【０１２１】
なお、リスト表示領域Ａ８に表示される部位・方向リスト上で、画像Ｆ１が付加されている「右前足足関節−正面」Ｃ１、画像Ｆ２が付加されている「右前足足関節−側面」Ｃ２についても、画像表示領域Ａ３に表示されている医用画像に対応する撮影部位及び撮影方向の組み合わせとして、再度選択することができる。
【０１２２】
第２の実施の形態によれば、第１の実施の形態と同様の効果に加え、部位・方向リスト上で、選択された撮影部位及び撮影方向の組み合わせについては、撮影部位及び撮影方向の組み合わせに対応する医用画像を付加することにより、他の撮影部位及び撮影方向の組み合わせと区別可能に表示することができる。これにより、各撮影部位及び撮影方向の組み合わせについて、医用画像との対応付けを容易に確認することができ、対応付けの間違いを防止することができる。
【０１２３】
［第３の実施の形態］
次に、本発明を適用した第３の実施の形態について説明する。
第３の実施の形態における医用画像撮影システムは、第１の実施の形態に示した医用画像撮影システム１００と同様の構成によってなるため、図１〜図４を援用し、その構成については図示及び説明を省略する。また、撮影対象情報テーブルＴ１（図５参照）、画像情報テーブルＴ２（図６参照）、医用画像撮影処理（図７〜図９参照）についても第１の実施の形態と同様である。以下、第３の実施の形態に特徴的な構成及び処理について説明する。
【０１２４】
第３の実施の形態では、クライアント端末４０の表示部４３に表示される部位・方向リスト上で、選択された撮影対象情報について、他の撮影対象情報と区別可能に表示させる際の表示方法が、第１の実施の形態と異なる。
【０１２５】
制御部４１は、表示部４３に表示される部位・方向リスト上で、選択された撮影対象情報については、他の撮影対象情報と表示位置を変えることにより、他の撮影対象情報と区別可能に表示させる。
【０１２６】
図１４に、第３の実施の形態における画像表示画面４３５の例を示す。画像表示画面４３５に含まれる各領域Ａ１〜Ａ３，Ａ５〜Ａ７については、画像表示画面４３１と同様であるため、説明を省略する。
画像表示画面４３５に含まれる未撮影リスト表示領域Ａ９は、実施される検査において撮影すべき撮影部位及び撮影方向の組み合わせのリストのうち、医用画像との対応付けが行われていない撮影部位及び撮影方向の組み合わせが表示される領域である。なお、検査が選択される前は、未撮影リスト表示領域Ａ９は、空欄である。
【０１２７】
画像表示画面４３５に含まれる撮影済みリスト表示領域Ａ１０は、医用画像との対応付けが行われた撮影部位及び撮影方向の組み合わせが表示される領域である。なお、１枚目の医用画像に対して撮影部位及び撮影方向の組み合わせが選択される前は、撮影済みリスト表示領域Ａ１０は、空欄である。
【０１２８】
「右前足足関節−正面」Ｃ１、「右前足足関節−側面」Ｃ２については、撮影済みリスト表示領域Ａ１０に表示されており、「左前足足関節−正面」Ｃ３、「左前足足関節−側面」Ｃ４、「右後足足関節−正面」Ｃ５、「右後足足関節−側面」Ｃ６、「左後足足関節−正面」Ｃ７、「左後足足関節−側面」Ｃ８については、未撮影リスト表示領域Ａ９に表示されている。つまり、「右前足足関節−正面」Ｃ１、「右前足足関節−側面」Ｃ２は、選択された撮影部位及び撮影方向の組み合わせであり、「左前足足関節−正面」Ｃ３、「左前足足関節−側面」Ｃ４、「右後足足関節−正面」Ｃ５、「右後足足関節−側面」Ｃ６、「左後足足関節−正面」Ｃ７、「左後足足関節−側面」Ｃ８は、選択されていない撮影部位及び撮影方向の組み合わせである。
【０１２９】
なお、撮影済みリスト表示領域Ａ１０に表示されている「右前足足関節−正面」Ｃ１、「右前足足関節−側面」Ｃ２についても、画像表示領域Ａ３に表示されている医用画像に対応する撮影部位及び撮影方向の組み合わせとして、再度選択することができる。
【０１３０】
第３の実施の形態によれば、第１の実施の形態と同様の効果に加え、部位・方向リスト上で、選択された撮影部位及び撮影方向の組み合わせについては、他の撮影部位及び撮影方向の組み合わせと表示位置を変えることにより、他の撮影部位及び撮影方向の組み合わせと区別可能に表示することができる。これにより、各撮影部位及び撮影方向の組み合わせについて、医用画像との対応付けが行われているか否かを容易に認識することができ、撮影漏れを防止することができる。
【０１３１】
［第４の実施の形態］
次に、本発明を適用した第４の実施の形態について説明する。
第４の実施の形態における医用画像撮影システムは、第１の実施の形態に示した医用画像撮影システム１００と同様の構成によってなるため、図１〜図４を援用し、その構成については図示及び説明を省略する。また、画像情報テーブルＴ２（図６参照）、医用画像撮影処理（図７〜図９参照）についても第１の実施の形態と同様である。以下、第４の実施の形態に特徴的な構成及び処理について説明する。
【０１３２】
第４の実施の形態では、クライアント端末４０の表示部４３に部位・方向リストを表示させる際に、撮影条件も表示させる点が、第１の実施の形態と異なる。
第４の実施の形態では、図５に示した撮影対象情報テーブルＴ１において、さらに、撮影対象情報毎に、各撮影対象情報に対応する撮影条件が対応付けられている。
【０１３３】
制御部４１は、撮影対象情報テーブルＴ１に基づいて、表示部４３に表示される部位・方向リスト上に、各撮影対象情報（撮影部位及び撮影方向の組み合わせ）に加えて、当該各撮影対象情報に対応する撮影条件を表示させる。
【０１３４】
図１５に、第４の実施の形態における画像表示画面４３６の例を示す。画像表示画面４３６に含まれる各領域Ａ１〜Ａ３，Ａ５〜Ａ７については、画像表示画面４３１と同様であるため、説明を省略する。
画像表示画面４３６に含まれるリスト表示領域Ａ１１は、実施される検査において撮影すべき撮影部位及び撮影方向の組み合わせのリストが表示される領域である。なお、検査が選択される前は、リスト表示領域Ａ１１は、空欄である。
【０１３５】
リスト表示領域Ａ１１には、部位・方向表示欄Ｇ１、撮影条件表示欄Ｇ２、チェックマーク表示欄Ｇ３が含まれる。
部位・方向表示欄Ｇ１には、撮影対象情報、すなわち、実施される検査において撮影すべき撮影部位及び撮影方向の組み合わせが表示される。
撮影条件表示欄Ｇ２には、部位・方向表示欄Ｇ１に表示される撮影部位及び撮影方向の組み合わせに対応する撮影条件が表示される。ここでは、撮影条件として、放射線発生装置５０における管電圧［kV］と曝射量［mAs］が表示されている。
チェックマーク表示欄Ｇ３には、部位・方向表示欄Ｇ１に表示される撮影部位及び撮影方向の組み合わせについて、医用画像との対応付けが行われている場合にチェックマークが表示される。
【０１３６】
第４の実施の形態によれば、第１の実施の形態と同様の効果に加え、部位・方向リスト上に、各撮影部位及び撮影方向の組み合わせに加えて、当該各撮影部位及び撮影方向の組み合わせに対応する撮影条件を表示するので、撮影者は撮影部位・撮影方向毎の適切な撮影条件を容易に知ることができる。
【０１３７】
［第５の実施の形態］
次に、本発明を適用した第５の実施の形態について説明する。
図１６に、第５の実施の形態に係る医用画像撮影システム２００のシステム構成を示す。医用画像撮影システム２００は、ＦＰＤパネル１、医用画像管理装置７０、放射線発生装置５０、アクセスポイント６０等を備えて構成されている。ＦＰＤパネル１と医用画像管理装置７０とは、アクセスポイント６０及び通信ネットワークＮを介してデータ通信可能に接続されている。厩舎Ｒ３では、撮影対象物である競走馬について、放射線画像の撮影が行われる。
ＦＰＤパネル１、放射線発生装置５０、アクセスポイント６０については、第１の実施の形態で説明したので、説明を省略する。
【０１３８】
医用画像管理装置７０は、第１の実施の形態における医用画像管理装置３０とクライアント端末４０の両方の機能を有するコンピューター装置であり、ＦＰＤパネル１等の撮影装置により生成された医用画像を管理する。
【０１３９】
図１７に、医用画像管理装置７０の機能的構成を示す。
図１７に示すように、医用画像管理装置７０は、制御部７１、操作部７２、表示部７３、通信部７４、ＲＡＭ７５、記憶部７６等を備えて構成され、各部はバス７７により接続されている。
【０１４０】
制御部７１は、ＣＰＵ等により構成され、記憶部７６に記憶されているシステムプログラムや処理プログラム等の各種プログラムを読み出してＲＡＭ７５に展開し、展開されたプログラムに従って各種処理を実行する。
【０１４１】
操作部７２は、文字入力キー、数字入力キー及び各種機能キー等を備えたキーボードと、マウス等のポインティングデバイスを備えて構成され、キーボードで押下操作されたキーの押下信号とマウスによる操作信号とを、入力信号として制御部７１に出力する。
操作部７２は、ＦＰＤパネル１等の撮影装置により生成された医用画像に対して、表示部７３に表示されるリストの中からいずれか一の撮影対象情報を選択する際に用いられる。すなわち、操作部７２は、選択手段として機能する。
本実施の形態においても、撮影対象情報に撮影部位及び撮影方向が含まれる場合を例にして説明するが、撮影対象情報に体位が含まれていてもよい。
【０１４２】
表示部７３は、ＬＣＤ等のモニターを備えて構成されており、制御部７１から入力される表示信号の指示に従って、各種画面を表示する。
【０１４３】
通信部７４は、ネットワークインターフェース等により構成され、通信ネットワークＮに接続された外部機器との間でデータの送受信を行う。
【０１４４】
ＲＡＭ７５は、制御部７１により実行制御される各種処理において、記憶部７６から読み出された制御部７１で実行可能な各種プログラム、入力若しくは出力データ等を一時的に記憶するワークエリアとして機能する。
【０１４５】
記憶部７６は、ＨＤＤや半導体の不揮発性メモリー等で構成されている。記憶部７６には、各種プログラムや、各種処理に必要なデータ等が記憶されている。例えば、記憶部７６には、撮影対象情報テーブルＴ１（図５参照）、画像情報テーブルＴ２（図６参照）が記憶される。
撮影対象情報テーブルＴ１及び画像情報テーブルＴ２については、第１の実施の形態で説明したので、説明を省略する。
【０１４６】
制御部７１は、複数の撮影対象情報を含む撮影対象情報テーブルＴ１に基づいて、撮影対象情報テーブルＴ１に含まれる撮影対象情報のリスト（部位・方向リスト）を表示部７３に表示させる。すなわち、制御部７１は、表示制御手段として機能する。
【０１４７】
制御部７１は、ＦＰＤパネル１等の撮影装置により生成された医用画像に対して、選択された撮影対象情報を対応付けて記憶部７６に記憶させる。具体的には、制御部７１は、画像情報テーブルＴ２において、医用画像に対応する画像ＩＤ及び画像ファイル番号に対して、選択された撮影対象情報に対応する部位・方向ＩＤを対応付ける。すなわち、制御部７１は、対応付け手段として機能する。
制御部７１は、ＦＰＤパネル１等の撮影装置により生成された複数の医用画像に対して、同一の撮影対象情報を対応付けることができる。
【０１４８】
制御部７１は、記憶部７６に記憶されている画像情報テーブルＴ２に基づいて、表示部７３に表示される部位・方向リスト上で、選択された撮影対象情報については、他の撮影対象情報と区別可能に表示させる。
【０１４９】
例えば、制御部７１は、表示部７３に表示される部位・方向リスト上で、選択された撮影対象情報については、マーク、文字、背景色、又は、当該選択された撮影対象情報に対応する医用画像を付加することにより、他の撮影対象情報と区別可能に表示させる（図１２、図１３参照）。
【０１５０】
あるいは、制御部７１は、表示部７３に表示される部位・方向リスト上で、選択された撮影対象情報については、他の撮影対象情報と表示位置を変えることにより、他の撮影対象情報と区別可能に表示させる（図１４参照）。
【０１５１】
また、制御部７１は、撮影対象情報テーブルＴ１に基づいて、表示部７３に表示される部位・方向リスト上に、各撮影対象情報に加えて、当該各撮影対象情報に対応する撮影条件を表示させることとしてもよい（図１５参照）。
【０１５２】
次に、医用画像管理装置７０における動作について説明する。
図１８は、医用画像管理装置７０における処理を示すフローチャートである。
【０１５３】
まず、厩舎Ｒ３に設置されている医用画像管理装置７０において、制御部７１により、医用画像撮影システム２００内の各ＦＰＤパネル１を示す情報、及び、予め登録されている馬に関する情報が記憶部７６から読み出され、読み出された情報に基づいて、受付画面が表示部７３に表示される。受付画面の構成については、第１の実施の形態と同様である。
【０１５４】
受付画面において、操作部７２からの操作により、パネル選択領域のいずれかのパネル選択ボタンが押下され、画像取り込み対象となる厩舎Ｒ３内のＦＰＤパネル１が選択されると（ステップＳ４１）、制御部７１により、選択されたＦＰＤパネル１が画像取り込み対象のＦＰＤパネル１として設定される（ステップＳ４２）。
【０１５５】
次に、操作部７２からの操作により、受付画面の馬リスト表示領域に表示されている馬の中から撮影対象馬が選択されると（ステップＳ４３）、制御部７１により、選択された撮影対象馬の画像を表示するための画像表示画面が表示部７３に表示される（ステップＳ４４）。画像表示画面の構成については、第１の実施の形態（図１０〜図１２参照）と同様である。
【０１５６】
医用画像管理装置７０では、表示部７３に表示される画面が、撮影対象馬の画像表示画面に遷移したタイミングで、制御部７１により、複数存在するＦＰＤパネル１のうち選択されていないＦＰＤパネル１に非駆動状態への移行を指示する非駆動指示が通信部７４を介して送信され、選択されているＦＰＤパネル１に駆動準備状態への移行を指示する駆動準備指示が通信部７４を介して送信される。
【０１５７】
選択されていないＦＰＤパネル１では、無線通信部２２により、非駆動指示が受信されると、制御部１９により、非駆動状態に変更される。
選択されているＦＰＤパネル１では、無線通信部２２により、駆動準備指示が受信されると、制御部１９により、駆動準備状態に変更される。
【０１５８】
次に、医用画像管理装置７０において、操作部７２からの操作により、競走馬用の検査として予め登録されている複数の検査の中から今回実施される検査が選択されると（ステップＳ４５）、制御部７１により、選択された検査に対応する撮影対象情報テーブルＴ１が記憶部７６から読み出される。そして、制御部７１により、読み出された撮影対象情報テーブルＴ１に含まれる複数の撮影対象情報に基づいて、選択された検査において撮影すべき撮影部位及び撮影方向の組み合わせのリスト（部位・方向リスト）が表示部７３に表示される（ステップＳ４６）。
【０１５９】
次に、画像表示画面において、操作部７２からの操作により、画像取り込みボタンが押下されると（ステップＳ４７）、制御部７１により、装置状態がオフラインからオンラインへと変更される（ステップＳ４８）。具体的には、制御部７１により、選択されたＦＰＤパネル１において生成される医用画像の取り込み待機状態となる。
【０１６０】
また、医用画像管理装置７０では、画像取り込みボタンが押下されたことを契機として、制御部７１により、選択されているＦＰＤパネル１に駆動状態への移行を指示する駆動指示が通信部７４を介して送信される。
選択されているＦＰＤパネル１では、無線通信部２２により、駆動指示が受信されると、制御部１９により、駆動状態に変更され、放射線発生装置５０からの放射線照射の待機状態となる。
【０１６１】
放射線発生装置５０において、放射線が照射されると、選択されたＦＰＤパネル１では、制御部１９により、放射線発生装置５０による放射線の照射が検知され、画像が読み取られる。そして、制御部１９により、読み取られた医用画像が無線通信部２２を介して医用画像管理装置７０に送信される。
【０１６２】
医用画像管理装置７０では、通信部７４により、選択されたＦＰＤパネル１から送信された医用画像が受信され（ステップＳ４９）、制御部７１により、受信された医用画像が記憶部７６に保存される（ステップＳ５０）。具体的には、制御部７１により、ＦＰＤパネル１から取り込まれた医用画像が記憶部７６に記憶されるとともに、撮影対象馬の対象検査に対応する画像情報テーブルＴ２に新規レコードが追加され、取り込まれた医用画像の画像ＩＤ及び画像ファイル番号が格納される。
【０１６３】
次に、制御部７１により、ＦＰＤパネル１から受信された医用画像が表示部７３に表示される（ステップＳ５１）。
【０１６４】
次に、操作部７２からの操作により、対象画像が選択される（ステップＳ５２）。通常は、直前にＦＰＤパネル１等の撮影装置から取り込まれ、画像表示領域Ａ３（図１０参照）に表示されている医用画像が選択された状態となっている。撮影部位及び撮影方向を対応付ける画像を変更する場合には、撮影済み画像表示領域Ａ５（図１０参照）に表示されているサムネイル画像の中から対象画像が選択される。
【０１６５】
次に、操作部７２からの操作により、表示部７３に表示されている部位・方向リストから、表示中の医用画像に対応するいずれか一の撮影部位及び撮影方向の組み合わせ（撮影対象情報）が選択されると（ステップＳ５３）、制御部７１により、ＦＰＤパネル１により生成された医用画像に対して、選択された撮影部位及び撮影方向の組み合わせが対応付けられて記憶部７６に記憶される（ステップＳ５４）。具体的には、制御部７１により、撮影対象馬の対象検査に対応する画像情報テーブルＴ２において、対象画像の画像ＩＤ及び画像ファイル番号に対応付けられて、選択された撮影部位及び撮影方向の組み合わせに対応する部位・方向ＩＤが格納される。
なお、画像情報テーブルＴ２では、異なる複数の医用画像（画像ＩＤ及び画像ファイル番号）に対して、同一の部位・方向ＩＤを対応付けることが可能である。
【０１６６】
次に、制御部７１により、表示部７３に表示される部位・方向リスト上の撮影状態の表示が更新される（ステップＳ５５）。具体的には、制御部７１により、記憶部７６に記憶されている画像情報テーブルＴ２に基づいて、部位・方向リスト上で、既に選択された撮影部位及び撮影方向の組み合わせについては、他の撮影部位及び撮影方向の組み合わせと区別可能に表示される。
【０１６７】
より詳細には、制御部７１により、部位・方向リストに表示されている各部位・方向について、撮影対象情報テーブルＴ１の各部位・方向名称に対応する部位・方向ＩＤが、撮影対象馬の対象検査に対応する画像情報テーブルＴ２に含まれるか検索される。各部位・方向ＩＤが画像情報テーブルＴ２に含まれている場合には、その部位・方向については医用画像と対応付けられていると判断され、各部位・方向ＩＤが画像情報テーブルＴ２に含まれていない場合には、その部位・方向については医用画像と対応付けられていないと判断される。
【０１６８】
部位・方向リスト上で、既に選択されている撮影対象情報について、他の撮影対象情報と区別可能に表示させる際の表示方法としては、第１の実施の形態〜第４の実施の形態に示した例に限らず、いかなる方法であってもよい。
【０１６９】
なお、部位・方向リストの表示の更新については、毎回部位・方向リスト内の全ての撮影部位及び撮影方向の組み合わせについて行う必要はなく、ステップＳ５３で選択された撮影部位及び撮影方向の組み合わせについてのみ行ってもよい。
【０１７０】
次に、対象画像を変更する場合には（ステップＳ５６；ＹＥＳ）、操作部７２からの操作により、撮影済み画像表示領域Ａ５（図１０参照）に表示されているサムネイル画像の中から対象画像が選択され、ステップＳ５２に戻り、処理が繰り返される。
【０１７１】
ステップＳ５６において、対象画像を変更しない場合には（ステップＳ５６；ＮＯ）、撮影者は、表示部７３に表示されている部位・方向リストを確認し、全ての撮影が終了したか否かを判断する（ステップＳ５７）。
【０１７２】
ここで、終了していない撮影がある場合には（ステップＳ５７；ＮＯ）、ステップＳ４９に戻り、処理が繰り返される。
【０１７３】
ステップＳ５７において、全ての撮影が終了した場合には（ステップＳ５７；ＹＥＳ）、画像表示画面において、操作部７２からの操作により、画像取り込み解除ボタンが押下され（ステップＳ５８）、制御部７１により、装置状態がオンラインからオフラインへと変更される（ステップＳ５９）。具体的には、制御部７１により、選択されたＦＰＤパネル１において生成される医用画像の取り込み待機状態が解除される。
【０１７４】
また、画像取り込み解除ボタンが押下されたことを契機として、制御部７１により、選択されているＦＰＤパネル１に駆動準備状態への移行を指示する駆動準備指示が通信部７４を介して送信される。
選択されているＦＰＤパネル１では、無線通信部２２により、駆動準備指示が受信されると、制御部１９により、駆動準備状態に変更される。
【０１７５】
次に、医用画像管理装置７０において、操作部７２からの操作により、画像表示画面の終了ボタンが押下されると（ステップＳ６０）、制御部７１により、選択されているＦＰＤパネル１に非駆動状態への移行を指示する非駆動指示が通信部７４を介して送信される。
選択されているＦＰＤパネル１では、無線通信部２２により、非駆動指示が受信されると、制御部１９により、非駆動状態に変更される。
以上で、医用画像管理装置７０における処理が終了する。
【０１７６】
以上説明したように、第５の実施の形態によれば、検査に含まれる撮影部位及び撮影方向の組み合わせ（撮影対象情報）のリストを表示するので、撮影すべき撮影部位及び撮影方向の組み合わせを提示することができる。また、部位・方向リスト上で、選択された撮影部位及び撮影方向の組み合わせについては、他の撮影部位及び撮影方向の組み合わせと区別可能に表示するので、複数の撮影部位及び撮影方向の組み合わせについて撮影を行う際に、医用画像に対応付けられていない撮影部位及び撮影方向の組み合わせが認識しやすくなり、撮影漏れを防止することができる。また、ＦＰＤパネル１等の撮影装置により生成された医用画像に対して、撮影部位及び撮影方向の組み合わせを撮影後に対応付けるので、複数の撮影部位及び撮影方向の組み合わせについて撮影を行う際に、任意の順序での撮影が容易になる。
【０１７７】
また、第５の実施の形態によれば、撮影装置により生成された複数の医用画像に対して、同一の撮影部位及び撮影方向の組み合わせを対応付けることができるので、撮影し直す場合や、複数の画像から総合的に診断する場合等の操作が容易になる。
【０１７８】
なお、上記各実施の形態における記述は、本発明に係る医用画像撮影システム及び医用画像管理装置の例であり、これに限定されるものではない。システムを構成する各装置の細部構成及び細部動作に関しても本発明の趣旨を逸脱することのない範囲で適宜変更可能である。
【０１７９】
例えば、第４の実施の形態は、第１の実施の形態と同様の撮影対象情報のリスト上に撮影条件を表示する場合の例であるが、第２の実施の形態又は第３の実施の形態と同様の撮影対象情報のリスト上に撮影条件を表示することとしてもよい。また、表示される撮影条件は、放射線発生装置５０における管電流［mA］、曝射時間［msec］等であってもよい。
【０１８０】
また、上記各実施の形態では、撮影対象情報として撮影部位及び撮影方向の組み合わせを用いた場合について説明したが、撮影対象情報に体位が含まれる場合には、撮影対象情報のリスト上で、撮影部位及び撮影方向の組み合わせに加え、体位を表示することとしてもよい。撮影部位及び撮影方向の組み合わせに対して、通常撮影される際の体位が決まっている場合には、体位の表示は省略することができる。また、撮影部位に対して、通常撮影される際の撮影方向が決まっている場合には、撮影対象情報に撮影方向が含まれなくてもよい。
【０１８１】
また、撮影対象情報のリスト上で、予め定められた順序に従って、撮影対象情報を自動的に選択した状態とし、確定ボタンの押下により、その選択を確定させるようにしてもよい。例えば、医用画像への対応付けが行われていない撮影対象情報の中で、予め定められた順序で先頭のものや、前回選択された撮影対象情報の次の撮影対象情報が自動的に選択されることとする。この場合にも、クライアント端末４０における操作部４２又は医用画像管理装置７０における操作部７２からの操作により、医用画像に対応付ける撮影対象情報を変更することができる。
具体的には、上述した（１）〜（８）の撮影部位・撮影方向について撮影を行う場合に、（１）右前足足関節−正面について撮影したところ、前足を動かし始めたので、急遽（５）右後足足関節−正面の撮影に変更し、（５）の撮影に続いて順に（６）〜（８）の撮影を行い、その後、（２）右前足足関節−側面の撮影に戻って、さらに、（３）、（４）の撮影を行ったこととする。この場合、（１）〜（８）の順に撮影順序が予め設定されていれば、撮影者が手動で撮影部位及び撮影方向の組み合わせを選択するのは、（５）と（２）のときの２回で済み、それ以外は、前回選択された撮影部位及び撮影方向の組み合わせの次の撮影部位及び撮影方向の組み合わせが順次選択されていくのに合わせて確定ボタンを押下するだけでよい。
【０１８２】
また、上記各実施の形態では、撮影装置としてＦＰＤパネルを用いた場合を例にして説明したが、ＣＲ（Computed Radiography）装置、超音波診断装置（ＵＳ）等でもよい。
また、上記各実施の形態では、撮影対象物が馬である場合を例にして説明したが、撮影対象物は人間であってもよいし、馬以外の動物であってもよい。
【０１８３】
また、同一の撮影対象情報が対応付けられた複数の医用画像が存在する場合には、複数の医用画像が存在することや医用画像の数を、撮影対象情報のリスト上に表示することとしてもよい。
【符号の説明】
【０１８４】
１  ＦＰＤパネル
３０  医用画像管理装置
３１  制御部
３４  通信部
３６  記憶部
４０  クライアント端末
４１  制御部
４２  操作部
４３  表示部
４４  通信部
４６  記憶部
５０  放射線発生装置
７０  医用画像管理装置
７１  制御部
７２  操作部
７３  表示部
７６  記憶部
１００  医用画像撮影システム
２００  医用画像撮影システム
Ａ３  画像表示領域
Ａ４  リスト表示領域
Ａ８  リスト表示領域
Ａ９  未撮影リスト表示領域
Ａ１０  撮影済みリスト表示領域
Ａ１１  リスト表示領域
Ｍ１，Ｍ２  チェックマーク
Ｎ  通信ネットワーク
Ｔ１  撮影対象情報テーブル
Ｔ２  画像情報テーブル
【図１】
2014147621.tif 000003
【図２】
2014147621.tif 000004
【図３】
2014147621.tif 000005
【図４】
2014147621.tif 000006
【図５】
2014147621.tif 000007
【図６】
2014147621.tif 000008
【図７】
2014147621.tif 000009
【図８】
2014147621.tif 000010
【図９】
2014147621.tif 000011
【図１０】
2014147621.tif 000012
【図１１】
2014147621.tif 000013
【図１２】
2014147621.tif 000014
【図１３】
2014147621.tif 000015
【図１４】
2014147621.tif 000016
【図１５】
2014147621.tif 000017
【図１６】
2014147621.tif 000018
【図１７】
2014147621.tif 000019
【図１８】
2014147621.tif 000020